(57)【要約】【課題】独立した２本の配線間の電気的な接続／非接続のための試験用端子台であって、構成部材の紛失のおそれがなく、接続／非接続の操作を迅速かつ簡単にかつ誤操作することなく確実に行うことができる試験用端子台を提供する【解決手段】試験用端子台１は第１の端子台１０と第２の端子台２０とを含み、第１の端子台１０は、導電性筒体１１と、この導電性筒体１１の基端側に形成されている導電性の第１配線接続部１２と、導電性筒体１１の内部に移動可能に収納されている導電性シャフト１３を含んでおり、第２の端子台２０は、導電性柱体２１と、この導電性柱体２１の基端側に形成されている導電性の第２配線接続部２２と、導電性柱体２１の先端側に形成されているシャフト受部２３を含んでおり、導電性シャフト１３とシャフト受部２３との係合／解除により、第１の配線と第２の配線が電気的に接続／非接続される。【選択図】図４
2008071647.tif 000002
【特許請求の範囲】
【請求項１】
基板の裏面から表面に跨って配設されかつ基板の裏面側にて独立した２本の配線と接続される第１の端子台と第２の端子台とを含んでおり、
第１の端子台は、基板の裏面側に配置される第１の配線が接続される第１配線接続部と、導電性シャフトと、該導電性シャフトを収納する収納部と、を備えており、ただし、前記導電性シャフトは、前記収納部に略全体が収納されている収納状態と、基板の表面側で前記収納部から突出して基端部のみが前記収納部に収納されておりかつ第１配線接続部と電気的に接続されている突出状態と、をとることができるようになっており、
第２の端子台は、基板の裏面側に配置される第２の配線が接続される第２配線接続部と、該第２配線接続部と電気的に接続されておりかつ基板の表面側で第１の端子台の導電性シャフトの先端部と係合可能なシャフト受部と、を備えており、
前記突出状態において、第１の端子台の導電性シャフトの先端部が第２の端子台のシャフト受部と係合することにより、第１の配線と第２の配線とが電気的に接続されるようになっていることを特徴とする試験用端子台。
【請求項２】
第１の端子台の収納部が、前記第１配線接続部と電気的に接続されておりかつ基板に対して略垂直に伸びるように配設される導電性筒体として形成されており、
該導電性筒体に収納される前記導電性シャフトが、その基端部に設けられている前記導電性筒体の内面と接触している接触部と、該接触部から前記収納状態において前記導電性筒体の軸線と平行に伸びている軸部とを含んでおり、
前記収納状態にある前記導電性シャフトを、前記導電性シャフトの接触部が前記導電性筒体の内面との接触を維持した状態で、前記導電性シャフトの軸部を前記導電性筒体から基板に対して略垂直な方向に引き出し、前記導電性シャフトの軸部を第２の端子台の方向に傾倒させ、前記導電性シャフトの軸部の先端部を第２の端子台のシャフト受部と係合させることにより、前記突出状態に移行させるようになっていることを特徴とする、請求項１に記載の試験用端子台。
【請求項３】
前記導電性筒体に、前記突出状態において前記導電性シャフトの接触部を第２の端子台の方向に付勢する付勢手段が設けられていることを特徴とする、請求項２に記載の試験用端子台。
【請求項４】
前記導電性筒体および／または前記導電性シャフトに、前記収納状態において前記導電性筒体に前記導電性シャフトを固定する固定手段が設けられていることを特徴とする、請求項２または３に記載の試験用端子台。
【請求項５】
第１の端子台と第２の端子台が連結されて一体的に構成されていることを特徴とする、請求項１〜４のいずれか１項に記載の試験用端子台。
【発明の詳細な説明】
【技術分野】
【０００１】
本発明は、独立した２本の配線間の電気的な接続／非接続を行うための試験用端子台に関し、特に発変電所等の電力保護制御盤に取り付けられるトリップロック端子台として好適に使用することができる試験用端子台に関する。
【背景技術】
【０００２】
発変電所等の電力保護制御システムとして、図９に示すような保護継電器と遮断器とを含む電力保護制御システムが採用されている。図９に示すシステムでは、供給側電路７０に供給された電力がノードＮ１から負荷側電路７１を介して負荷側機器８６に供給されるようになっている。負荷側電路７１にはトリップコイル８５に流れる電流による電磁力によってその接点が「開」となる遮断器８２が取付けられている。また、供給側電路７０のノードＮ２には供給側電路７０に印加される電圧を計測するための変圧器ＰＴが取付けられており、その電圧データが電力保護制御盤８１に取り付けられた保護継電器８３に入力されるようになっている。一方、負荷側電路７１に流れる電流を計測するための変流器ＣＴが負荷側電路７１に取付けられており、その電流データも電力保護制御盤８１に取り付けられた保護継電器８３に入力されるようになっている。
【０００３】
保護継電器８３は、変圧器ＰＴのデータや変流器ＣＴのデータに異常を発見した際には、保護継電器８３から伸びている第１の配線７２およびトリップコイル８５へと伸びている第２の配線７３を介してトリップコイル８５に電流を流して遮断器８２を動作させ、負荷側電路７１の負荷側機器８６に対する接続を遮断する。
【０００４】
第１の配線７２および第２の配線７３の間には、試験用端子台としてのトリップロック端子台８４が、保護継電器８３と共に電力保護制御盤８１に取り付けられている。図１０は、電力保護制御盤８１に組み込まれるトリップロック端子台８４の一例を示す説明図であり、図１０(ａ)は要部の斜視図であり、図１０（ｂ）は、一対の端子台の軸を含む平面で切断した断面を見た断面図である。図１１は、従来のトリップロック端子台８４が発変電所等の電力保護制御盤８１上に配置されている様子を示している。
【０００５】
図１０、１１において、８１ａは電力保護制御盤（全体図省略）の前面パネル、８４は電力保護制御盤８１に並列して配置されているトリップロック端子台８４である。
【０００６】
このトリップロック端子台８４は、図１０(ａ)の斜視図に示すように、一対の端子台９４，９５と、この端子台９４，９５に跨る短絡プラグ９６とを備えている。端子台９４，９５は、ここでは同一構造のものが用いられており、図１０（ｂ）の断面図に示すように、前面パネル８１ａの内面側に位置している保護継電器８３から伸びている配線７２およびトリップコイル８５へと伸びている配線７３が接続される導電体９４ａ，９５ａと、前面パネル８１ａを表裏で挟持する絶縁性の取付台９４ｂ，９４ｃおよび取付台９５ｂ，９５ｃと、導電体９４ａ，９５ａのうち取付台９４ｂ，９５ｂから外部へと突出している部分に形成された雄螺子（図示せず）に螺合して導電体９４ａ，９５ａ上を進退動する絶縁性の締付螺子９４ｄ，９５ｄと、導電体９４ａ，９５ａの露出端を保護する絶縁性の保護部９４ｅ，９５ｅとを備えている。
【０００７】
短絡プラグ９６は、同方向に開放する略Ｃ字形状の結合部９６ａ，９６ｂを両端に有する導電性材料からなるプラグ本体９６ｃと、プラグ本体９６ｃの中央に設けられている絶縁性材料からなる摘み部９６ｄとを備えている。
【０００８】
このような構成において、短絡プラグ９６は、端子台９４，９５の締付螺子９４ｄ，９５ｄを緩めて取付台９４ｂ，９５ｂと締付螺子９４ｄ，９５ｄとの間を離間させ、その間に短絡プラグ９６の結合部９６ａ，９６ｂを挿入した後、再び締付螺子９４ｄ，９５ｄを締め付けて取付台９４ｂ，９５ｂと締付螺子９４ｄ，９５ｄとの間を接近させ、これらによって結合部９６ａ，９６ｂを挟持することにより、端子台９４，９５に取り付けられる。
【０００９】
この取り付けにより、短絡プラグ９６並びに端子台９４，９５を介して第１の配線７２と第２の配線７３が導通されて電力監視状態となる。また、短絡プラグ９６を端子台９４，９５から取り外すことによって配線７２，７３の導通が解除されたトリップロック状態となる。トリップロック端子台８４の短絡プラグ９６が着脱自在になっているのは、保護継電器８３が正常な動作を行っているか否かを確認する作業の間に、誤って遮断器８２を動作させることがないように、第１の配線７２と第２の配線７３とを電気的に切り離す必要があるからである。
【００１０】
そして、発変電所のように多数の遮断器８２を使用する施設における電力保護制御盤８１には、図１１に示すようにトリップロック端子台８４が電力保護制御盤８１に対応する遮断器８２の数に応じて多数接近して取り付けられており、各トリップロック端子台８４は、感電事故や導電材料の付着を回避する目的で、常時はカバー９３によって覆われている。そして、隣接するトリップロック端子台８４間の間隔は、わずかに４ｃｍ程度に接近している場合も多い。
【００１１】
また、このようなトリップロック端子台として、短絡プラグと端子台との接続状態を容易とするため、接続部分をユニット化したものも知られている（例えば、特開２００２−３３４７４２号公報（特許文献１）参照）。
【００１２】
【特許文献１】特開２００２−３３４７４２号公報
【発明の開示】
【発明が解決しようとする課題】
【００１３】
図１０および図１１に示すトリップロック端子台８４にあっては、一般にトリップロック端子台８４が多数接近して電力保護制御盤８１に取り付けられているため、隣接する端子台が障害となって短絡プラグ９６の取り付けおよび取り外しの作業が困難であるといった問題があった。また、短絡プラグ９６を端子台９４，９５から取り外した後に再び装着する際に、トリップロック端子台８４が多数接近して配列しているため、誤った端子台８４の位置に取り付けてしまったり、締付螺子９４ｄ，９５ｄの締め付けが不十分であるため短絡プラグ９６が端子台９４，９５から外れてしまうおそれもあった。さらに、端子台９４，９５から短絡プラグ９６を取り外して作業をした後、再び短絡プラグ９６を装着するまでの間、短絡プラグ９６が紛失しないように別に管理する必要があった。特許文献１に開示された技術によると、短絡プラグの取り付けおよび取り外しの操作は行い易くなるものの、誤った端子台の位置に短絡プラグを取り付けてしまう危険性および短絡プラグの紛失の問題は同様に存在している。
【００１４】
そこで、本発明は、上記事情を考慮し、独立した２本の配線間の電気的な接続／非接続のために使用することができる試験用端子台、例えば上述したようなトリップロック端子台として好適に使用できる試験用端子台であって、短絡プラグの紛失のおそれがなく、２本の配線間の電気的な接続／非接続の操作を迅速かつ簡単に、かつ誤操作することなく確実に行うことができる試験用端子台を提供することを目的とする。
【課題を解決するための手段】
【００１５】
上記目的は、基板の裏面から表面に跨って配設されかつ基板の裏面側にて独立した２本の配線と接続される第１の端子台と第２の端子台とを含んでおり、第１の端子台は、基板の裏面側に配置される第１の配線が接続される第１配線接続部と、導電性シャフトと、該導電性シャフトを収納する収納部と、を備えており、ただし、上記導電性シャフトは、上記収納部に略全体が収納されている収納状態と、基板の表面側で上記収納部から突出して基端部のみが上記収納部に収納されておりかつ第１配線接続部と電気的に接続されている突出状態と、をとることができるようになっており、第２の端子台は、基板の裏面側に配置される第２の配線が接続される第２配線接続部と、該第２配線接続部と電気的に接続されておりかつ基板の表面側で第１の端子台の導電性シャフトの先端部と係合可能なシャフト受部と、を備えており、上記突出状態において、第１の端子台の導電性シャフトの先端部が第２の端子台のシャフト受部と係合することにより、第１の配線と第２の配線とが電気的に接続されるようになっていることを特徴とする試験用端子台によって達成される。
【００１６】
本発明の試験用端子台によれば、第１の配線と第２の配線とを電気的に接続すべき場合には、第１の端子台の収納部から導電性シャフトを基端部のみを残して引き出し、この状態において導電性シャフトの先端部を第２の端子台のシャフト受部と係合させる。このとき、導電性シャフトは、第１配線接続部と電気的に接続されておりかつ第２の端子台のシャフト受部とも電気的に接続されている「突出状態」にある。
【００１７】
また、第１の配線と第２の配線とを電気的に遮断すべき場合には、第１の端子台の導電性シャフトと第２の端子台のシャフト受部との係合を解き、導電性シャフトをその略全体が収納部に収納されている「収納状態」に移行させればよい。
【００１８】
従って、第１の配線と第２の配線との電気的な接続／非接続の操作を極めて迅速かつ簡単にかつ誤操作することなく行うことができ、また第１の配線と第２の配線とが電気的に遮断されている状態では、第１の端子台の導電性シャフトが収納部に収納されているので、第１の配線と第２の配線との電気的な接続のために必要な構成部材をその紛失を防止するために別に管理する必要がない。
【００１９】
本発明の試験用端子台において、第１の端子台の収納部が、上記第１配線接続部と電気的に接続されておりかつ基板に対して略垂直に伸びるように配設される導電性筒体として形成されており、該導電性筒体に収納される前記導電性シャフトが、その基端部に設けられている上記導電性筒体の内面と接触している接触部と、該接触部から上記収納状態において上記導電性筒体の軸線と平行に伸びている軸部とを含んでおり、上記収納状態にある上記導電性シャフトを、上記導電性シャフトの接触部が上記導電性筒体の内面との接触を維持した状態で、上記導電性シャフトの軸部を上記導電性筒体から基板に対して略垂直な方向に引き出し、上記導電性シャフトの軸部を第２の端子台の方向に傾倒させ、上記導電性シャフトの軸部の先端部を第２の端子台のシャフト受部と係合させることにより、上記突出状態に移行させることができるようになっていると、簡単でコンパクトな構造の試験用端子台が得られる上に、第１の配線と第２の配線との電気的な接続／非接続の操作のために広い空間を要せず、多数の試験用端子台を接近して配置することができ、また多数の試験用端子台が接近して配置されていても、第１の配線と第２の配線との電気的な接続／非接続の操作において誤操作することが無い。
【００２０】
このとき、導電性筒体を円筒状とし、導電性シャフトの接続部を球状にすると、導電性シャフトの突出状態において、導電性シャフトの接続部と導電性筒体の内面とが弧状に接触することになるため、第１の配線と第２の配線との電気的な接続の信頼性が高くなる。
【００２１】
本発明の試験用端子台において、第１の端子台の導電性筒体には、上記突出状態において上記導電性シャフトの接触部を第２の端子台の方向に付勢する付勢手段が設けられているのが好ましい。磨耗により導電性シャフトの接続部と導電性筒体の内面との接触が不十分になっても、付勢手段の作用により突出状態において導電性シャフトの接触部が導電性筒体の内面と確実に接触するため、第１の配線と第２の配線との電気的な接続の信頼性がさらに高くなる。
【００２２】
本発明の試験用端子台において、上記導電性筒体および／または上記導電性シャフトには、上記収納状態において上記導電性筒体に上記導電性シャフトを固定する固定手段が設けられているのが好ましい。この固定手段により「収納状態」にある導電性シャフトの不測の飛び出しを防止することができる。
【００２３】
本発明の試験用端子台は、第１の端子台と第２の端子台が別体として構成されていてもよいが、第１の端子台と第２の端子台が連結されて一体的に構成されていると、試験用端子台全体の基板への取り付けや管理を行い易くなるため好ましい。また、第１の配線と第２の配線との電気的な接続／非接続の操作のために広い空間を要さないため、第１の端子台と第２の端子台が連結されて一体的に構成された試験用端子台を極めて小型に形成することができる。
【００２４】
また、少なくとも導電性シャフトが「突出状態」にある場合には、感電事故や導電性シャフトへの導電材料の付着を回避する等の目的で、第１の端子台と第２の端子台の基板の表面側に位置する部分がカバーで覆われるのが好ましい。従って、本発明の試験用端子台がさらに基板の表面側で第１の端子台および第２の端子台を覆うカバーを含んでおり、第１の端子台および／または第２の端子台の基板の表面側に配置される位置に、上記カバーを着脱可能に取り付けるためのカバー取付手段が設けられているのが好ましい。
【００２５】
本発明の試験用端子台は、第１の配線と第２の配線との電気的な接続／非接続を繰り返し行う用途のために広く使用することができるが、上記第１配線接続部および上記第２配線接続部の一方を保護継電器から伸びている配線に接続し、上記第１配線接続部および上記第２配線接続部の他方を遮断器用トリップコイルから伸びている配線に接続し、トリップロック端子台として好適に使用することができる。
【発明の効果】
【００２６】
本発明の試験用端子台によると、第１の配線と第２の配線との電気的な接続／非接続の操作を迅速かつ簡単に、かつ誤操作することなく確実に行うことができる上に、第１の配線と第２の配線との電気的な接続のために必要な構成部材をその紛失を防止するために別に管理する必要がない。
【発明を実施するための最良の形態】
【００２７】
以下、本発明の一実施形態に係る試験用端子台について、図面を参照して説明する。
【００２８】
図１は、本実施の形態に係る試験用端子台をトリップロック端子台として使用するために電力保護制御盤の前面パネル（基板）に取り付けた状態を示している。ただし、図１は、本実施の形態の試験用端子台を、独立した２本の配線（保護継電器から伸びている配線およびトリップコイルへと伸びている配線）を電気的に切り離すために使用している状態を示しており、図２は、図１に対応する、２つの端子台１０，２０を２つの端子台の軸を通る平面で切断した断面を見た断面図を示している。これらの図において、２は電力保護制御盤（全体図省略）の前面パネル、１は前面パネル２に並列して複数配置（図では１個のみ図示）されている本実施の形態の試験用端子台を示している。
【００２９】
本発明の一実施形態に係る試験用端子台は、前面パネル２の裏面から表面に跨って配置されている第１の端子台１０および第２の端子台２０を含んでおり、これらの端子台１０，２０の一方に保護継電器から伸びている配線が接続され、端子台１０，２０の他方にトリップコイルへと伸びている配線が接続され、これらの配線間の電気的な接続／非接続のために本実施の形態の試験用端子台１が使用される。
【００３０】
第１の端子台１０は、前面パネル２を貫通する円筒状の導電性筒体１１、この導電性筒体１１の基端側に一体に形成されている導電性を有する円柱状の第１配線接続部１２、および、導電性筒体１１の内部に移動可能に収納されている導電性シャフト１３を主要な構成要素として含んでいる。
【００３１】
第１の端子台１０の導電性筒体１１の外面には、絶縁性の表面側取付台１４および裏面側取付台１５が設けられている。表面側取付台１４は前面パネル２の孔に挿入される外面に雄螺子１４ａａを備えた挿入部１４ａと前面パネル２の表面側に配置される後述するカバー３０を取り付けるための係合突起１４ｂとを有しており、裏面側取付台１５は表面側取付台１４の挿入部１４ａを受容する内面に雌螺子１５ａａを備えた受容部１５ａを有しており、螺子（１４ａａ，１５ａａ）の螺合により、第１の端子台１０が前面パネル２に、導電性筒体１１が前面パネル２に略垂直に伸び、カバー係合部１４ｂが第２の端子台２０と反対側に配置され、かつ第１配線接続部１２が前面パネル２の裏面側に配置されるように取り付けられる。
【００３２】
導電性の第１配線接続部１２の外面には雄螺子(図示せず)が形成されており、第１の端子台１０が前面パネル２に取り付けられた後に、独立した配線１８（保護継電器から伸びている配線またはトリップコイルへと伸びている配線）が第１配線接続部１２の外面に形成された雄螺子に螺合しているナット１２ａに挟みつけられることにより接続固定される。
【００３３】
導電性シャフト１３は、その基端部に設けられている導電性筒体１１の内面と接触している球状の接触部１３ａと、接触部１３ａから導電性筒体１１の軸線と平行に伸びている円柱状の軸部１３ｂとを備えている。導電性シャフト１３の軸部１３ｂの直径は、接続部１３ａの直径より短く設定されている。そして、軸部１３ｂの先端には、作業員が導電性シャフト１３を把持するための絶縁性の把持体１６が取り付けられている。
【００３４】
導電性筒体１１は、導電性シャフト１３の略全体を収納可能な長さに設定されており、図１，２に示されているような導電性シャフト１３の略全体が導電性筒体１１に収納されている状態にあるとき、導電性シャフト１３は「収納状態」にあるという。
【００３５】
図３は、導電性筒体１１の先端近傍の拡大斜視図を示している。ただし、理解の容易のため、導電性シャフト１３および把持体１６が省略されている。導電性シャフト１３の先端の第２の端子台２０に対向する側には、導電性シャフト１３の円柱状の軸部１３ｂの直径よりわずかに長く球状の接続部１３ａの直径より短い幅ｄ１を有するＵ字型の筒体溝部１１ａが形成されている。筒体溝部１１ａの開口端から最深部までの長さｈ１は、導電性シャフト１３の球状の接続部１３ａの半径と円柱状の軸部１３ｂの半径との合計と略等しく設定されている。
【００３６】
導電性筒体１１の内面の筒体溝部１１ａと対向する位置には凹部１１ｂが設けられており、付勢手段としての板バネ１１ｃがこの凹部１１ｂ内にその根元部が溶接固定された状態で収容されている。板バネ１１ｃは、負荷がかかっていない状態では、導電性筒体１１の先端側に向かうに連れて導電性筒体１１の中心軸に向かって傾斜している。
【００３７】
導電性筒体１１の先端部には、導電性筒体１１の露出端を保護すると共に導電性シャフト１３が導電性筒体１１から脱落するのを防止するための絶縁性のキャップ１７が被せられている。キャップ１７の中央には導電性シャフト１３の軸部１３ｂを通過させるための孔１７ａが設けられている。孔１７ａの直径は、導電性シャフト１３の円柱状の軸部１３ｂの直径よりわずかに長く球状の接続部１３ａの直径より短く設定されている。孔１７ａの先端には、導電性シャフト１３の軸部１３ｂの先端に取り付けられた把持体１６が係合するようになっている。この係合のため、孔１７ａの先端側には雌螺子１７ａａが形成され、把持体１６の基端側には雄螺子１６ａａが形成されている。これらの螺子（１７ａａ，１６ａａ）が導電性筒体１１に導電性シャフト１３を固定するための固定手段としての役割を果たす。
【００３８】
さらに、キャップ１７の先端側には、孔１７ａの直径と同じ幅ｄ２を有するＵ字状のキャップ溝部１７ｂが形成されている。筒体溝部１１ａの幅ｄ１とキャップ溝部１７ｂの幅ｄ２とは略等しく形成されている。キャップ溝部１７ｂの開口から最深部までの長さｈ２は、キャップ１７を導電性筒体１１の先端に取り付けた際に、筒体溝部１１ａの最深部１１ａａとキャップ溝部１７ｂの最深部１７ｂａが重なるように設定される。
【００３９】
第１の端子台の導電性筒体１１と導電性シャフト１３の組み立て作業の際には、導電性筒体１１内に導電性シャフト１３がその基端部１３ａが第１配線接続部１２側に来るようにして挿入され、キャップ１７の孔１７ａに導電性シャフト１３の軸部１３ｂが挿通された後、キャップ１７が導電性筒体１１の先端に嵌め込まれる。このとき、筒体溝部１１ａとキャップ溝部１７ｂが重なるように配置される。最後に、導電性シャフト１３の軸部１３ｂの先端に把持体１６が嵌め込まれ、把持体１６とキャップ１７とが螺子（１６ａａ，１７ａａ）により接続固定される。
【００４０】
第２の端子台２０は、前面パネル２を貫通する円柱状の導電性柱体２１、この導電性柱体２１の基端側に一体的に形成されている導電性を有する円柱状の第２配線接続部２２、および、導電性柱体２１の先端側に取り付けられている第１の端子台１０の導電性シャフト１３の先端部と係合可能なシャフト受部２３を主要な構成要素として含んでいる。
【００４１】
第２の端子台２０の導電性柱体２１の外面には、絶縁性の表面側取付台２４および裏面側取付台２５が設けられている。表面側取付台２４は前面パネル２の孔に挿入される外面に雄螺子２４ａａを備えた挿入部２４ａを有しており、裏面側取付台２５は表面側取付台２４の挿入部２４ａを受容する内面に雌螺子２５ａａを備えた受容部２５ａを有しており、螺子（２４ａａ，２５ａａ）の螺合により、第２の端子台２０が前面パネル２に、導電性柱体２１が前面パネル２に略垂直に伸び、かつ第２配線接続部２２が前面パネル２の裏面側に配置されるように取り付けられる。ただし、第２の端子台２０は、第１の端子台１０と第２の端子台２０の間隔が導電性シャフト１３の軸部１３ｂの長さより十分に短くなる位置に取り付けられる。
【００４２】
導電性の第２配線接続部２２の外面には雄螺子（図示せず）が形成されており、第２の端子台２０が前面パネル２に取り付けられた後に、独立した配線１９（保護継電器から伸びている配線またはトリップコイルへと伸びている配線）が上記雄螺子に螺合しているナット２２ａに挟まれることにより第２配線接続部２２に接続固定される。
【００４３】
導電性のシャフト受部２３は、導電性柱体２１と一体に形成されており、若しくは溶接等によって電気的に接続された状態で固定されており、弾性変形が可能になっている。導電性のシャフト受部２３は、前面パネル２と反対側に開口しており、Ｃ字状の断面を有する軸受け部２３ａと、軸受け部２３ａの両端から前面パネル２から離れる方向に伸びている軸挿通部２３ｂ，２３ｃとを備えている。軸受け部２３ａに、第１の端子台１０の導電性シャフト１３の軸部１３ｂの先端が係合することになる（図４参照）。従って、Ｃ字状の断面の直径は導電性シャフト１３の軸部１３ｂの直径よりわずかに短く設定されており、軸受け部２３ａと導電性シャフト１３の軸部１３ｂとが密接に接触可能なようになっている。軸挿通部２３ｂ，２３ｃ間の間隔は、軸受け部２３ａの直径より短く設定されており、軸受け部２３ａに係合した導電性シャフト１３の軸部１３ｂが不用意に軸受け部２３ａから脱落しないようになっている。そして、軸受け部２３ａと軸挿通部２３ｂ，２３ｃとを囲むように絶縁性の被覆体２６が設けられている。
【００４４】
図４は、本実施の形態の試験用端子台１を独立した２本の配線（保護継電器から伸びている配線およびトリップコイルへと伸びている配線）を電気的に接続するために使用している状態を示す概略的な斜視図であり、図５は、図４に対応する、２つの端子台１０，２０を２つの端子台の軸を通る平面で切断した断面を見た断面図である。
【００４５】
この状態では、第１の端子台１０の導電性シャフト１３が導電性筒体１１からその基端部１３ａがキャップ１７に当接するまで引き出されており、導電性シャフト１３の軸部１３ｂが導電性筒体１１の筒体溝部１１ａおよびキャップ１７のキャップ溝部１７ｂに嵌入しており、軸部１３ｂの先端が第２の端子台２０のシャフト受部２３の軸受け部２３ａに嵌入している。導電性筒体１１の板バネ１１ｃが導電性シャフト１３の基端部１３ａを第２の端子台２０の方向に付勢する付勢手段として作用している。
【００４６】
図４、５に示されているように、導電性シャフト１３が第１配線接続部１２と電気的に接続されている導電性筒体１１から突出して基端部１３ａのみが導電性筒体１１に収納されており、軸部１３ｂの先端部が第２の端子台２０のシャフト受部２３と係合しているとき、導電性シャフト１３は「突出状態」にあるという。
【００４７】
図６は、本実施の形態の試験用端子台１の使用方法の説明図である。
【００４８】
図６（ｃ）は、導電性シャフト１３が突出状態にある形態を示している。この形態では、第１の端子台１０および第２の端子台２０がカバー３０により覆われている。図７は、カバー３０の概略的な斜視図である。カバー３０は、本実施の形態では、透明なアクリル樹脂等で形成されており、カバー３０の一端側の内面側に、第１の端子台の表面側取付台１４の係合突起１４ｂと嵌合する係合溝３０ａが設けられており、係合溝３０ａに係合突起１４ｂを嵌入させながら前面パネル２側にカバー３０をスライドさせることにより、カバー３０により第１の端子台１０および第２の端子台２０を覆うことができるようになっている。この状態で、保護継電器から伸びている配線とトリップコイルへと伸びている配線１８，１９は、第１配線接続部１２、導電性筒体１１、導電性シャフト１３、シャフト受部２３、導電性柱体２１、第２配線接続部２２を介して電気的に接続されており、保護継電器からの電気信号によりトリップコイルを通じて遮断器を動作させることが可能である。
【００４９】
保護継電器の動作試験のために、トリップコイルに保護継電器からの電気信号が伝達しないようにしたい場合には、作業員は、カバー３０を取り外し、導電性シャフト１３の先端の把持体１６を把持し、シャフト受部２３から導電性シャフト１３の軸部１３ｂを外し、図６（ｂ）に示すように、導電性シャフト１３の軸部１３ｂを導電性筒体１１の軸線と平行に伸びるように配置した後、導電性シャフト１３を導電性筒体１１内に押し込み、キャップ１７の雌螺子１７ａａと把持体１６の雄螺子１６ａａとを螺合させ、図６（ａ）に示すように、導電性シャフト１３をその略全体が導電性筒体１１内に収納されている「収納状態」へと移行させる。この作業により、保護継電器から伸びている配線とトリップコイルへと伸びている配線１８，１９とを電気的に切り離すことができる。そして、キャップ１７の雌螺子１７ａａと把持体１６の雄螺子１６ａａとの螺合により、導電性シャフト１３の不測の飛び出しが防止される。
【００５０】
保護継電器の動作試験が終了したら、作業者は再び導電性シャフト１３の先端の把持体１６を把持し、キャップ１７の雌螺子１７ａａと把持体１６の雄螺子１６ａａとの螺合を解き、導電性シャフト１３を引き出して軸部１３ｂを導電性筒体１１の軸線と平行に伸びるように配置した後（図６（ｂ））、導電性シャフト１３の軸部１３ｂを第２の端子台２０の方向に傾倒させ、軸部１３ｂを筒体溝部１１ａ、キャップ溝部１７ｂ、および第２の端子台２０のシャフト受部２３の軸受け部２３ａに嵌入させ、導電性シャフト１３を「突出状態」へと移行させ、カバー３０を取り付ける（図６（ｃ））。「突出状態」では、導電性筒体１１内の板バネ１１ｃが導電性シャフト１３の基端部１３ａを第２の端子台２０の方向に付勢するため、保護継電器から伸びている配線とトリップコイルへと伸びている配線１８，１９との、第１配線接続部１２、導電性筒体１１、導電性シャフト１３、シャフト受部２３、導電性柱体２１、第２配線接続部２２を介する電気的な接続が確実に行われる。
【００５１】
本発明の試験用端子台は、上述の実施の形態に限定されず、本発明の趣旨を逸脱しない範囲内での変更が可能である。例えば、上述の実施の形態では、導電性シャフトを収納する収納部として導電性筒体を用いたが、収納部全体を導電性材料で筒状に形成する必要はなく、導電性シャフトが「突出状態」にあるときに、第１配線接続部と導電性シャフトの基端部とが導通状態にあれば十分である。例えば絶縁性の筒体を収納部とし、その先端の内面に導電性被膜を形成し、この導電性被膜を第１配線接続部と導通させてもよい。
【００５２】
また、上述の実施の形態では、第１の端子台と第２の端子台が別々に構成されているが、２つの端子台を連結して一体的に構成することもできる。図８は、一体的に構成された試験用端子台の一例を示している。この試験用端子台１では、導電性筒体１１と導電性柱体２１とが前面パネル２の表面側に配置される連結部３１の両端にそれぞれ収容されており、この連結部３１が表面側取付台としても機能している。この形態では、第１の端子台１０と第２の端子台２０を実質的に一体として取り扱うことができるため、第１の端子台１０と第２の端子台２０とを前面パネル２に取り付ける際に、第１の端子台１０と第２の端子台２０との間隔に配慮する必要がなく、試験用端子台１全体の取り付けが容易になる。また、第１の端子台１０と第２の端子台２０とが一体になっているため、それぞれをばらばらに管理する必要がない。また、第１の配線と第２の配線との電気的な接続／非接続の操作のために広い空間を要さないため、一体的に構成された試験用端子台１を極めて小型に形成することができ、例えば第１の端子台１０と第２の端子台２０との間隔を約２ｃｍにすること（従って、導電性シャフト１３の長さも約２ｃｍである）もできる。
【図面の簡単な説明】
【００５３】
【図１】本発明の一実施形態に係る試験用端子台を独立した２本の配線を電気的に切り離すために使用している状態を示す概略的な斜視図である。
【図２】図１に対応する、第１の端子台および第２の端子台を２つの端子台の軸を通る平面で切断した断面を見た断面図である。
【図３】図１に示す試験用端子台における、第１の端子台１０の先端部分に関する概略的な拡大斜視図である。
【図４】図１に示す試験用端子台を独立した２本の配線を電気的に接続するために使用している状態を示す概略的な斜視図である。
【図５】図４に対応する、第１の端子台および第２の端子台を２つの端子台の軸を通る平面で切断した断面を見た断面図である。
【図６】図１に示す試験用端子台の使用方法を示す説明図である。
【図７】図１に示す試験用端子台に備えられているカバーを示す概略的な斜視図である。
【図８】本発明の別の実施形態に係る試験用端子台を示す概略図である。
【図９】電力保護制御システムの一例を示す説明図である。
【図１０】従来のトリップロック端子台の概略図を示し、(ａ)は要部の斜視図であり、（ｂ）は一対の端子台の軸を含む平面で切断した断面を見た断面図である。
【図１１】従来のトリップロック端子台の説明図である。
【符号の説明】
【００５４】
１…試験用端子台
２…電力保護制御装置の前面パネル（基板）
１０…第１の端子台
１１…導電性筒体（収納部）
１１ａ…筒体溝部
１１ｃ…板バネ（付勢手段）
１２…第１配線接続部
１３…導電性シャフト
１３ａ…基端部
１３ｂ…軸部
１４…表面側取付台
１４ｂ…係合突起（カバー取付手段）
１５…裏面側取付台
１６…把持体
１６ａａ…雄螺子（固定手段）
１７…キャップ
１７ａａ…雌螺子（固定手段）
１７ｂ…キャップ溝部
１８…第１の配線
１９…第２の配線
２０…第２の端子台
２１…導電性柱体
２２…第２配線接続部
２３…シャフト受部
２４…表面側取付台
２５…裏面側取付台
２６…被覆体
３０…カバー
３１…連結部
【図１】
2008071647.tif 000003
【図２】
2008071647.tif 000004
【図３】
2008071647.tif 000005
【図４】
2008071647.tif 000006
【図５】
2008071647.tif 000007
【図６】
2008071647.tif 000008
【図７】
2008071647.tif 000009
【図８】
2008071647.tif 000010
【図９】
2008071647.tif 000011
【図１０】
2008071647.tif 000012
【図１１】
2008071647.tif 000013